(57)【特許請求の範囲】
【請求項１】
複数の物品収容用トレーを載置しうるトレー棚を有するトレー支持什器であって、
前記トレー棚を、
床面に設置されたベース構造体に、上下位置変更可能として下部が取付けられ、前記ベース構造体より上方に突出する部分の高さを変更しうるようにした左右複数の支柱と、
前記各支柱の前面に前方を向くように取付けられた上下複数のブラケットと、
前記各ブラケットにより支持され、かつ上面に前記複数のトレーを載置しうる上下複数段の棚板
とを備えるものとし、前記ベース構造体の背面に、複数の支柱の下部を、上下複数の固定ねじをもって、上下位置変更可能に取付けたことを特徴とするトレー支持什器。
【請求項２】
複数の物品収容用トレーを載置しうるトレー棚を有するトレー支持什器であって、
前記トレー棚を、
床面に設置されたベース構造体に、上下位置変更可能として下部が取付けられ、前記ベース構造体より上方に突出する部分の高さを変更しうるようにした左右複数の支柱と、
前記各支柱の前面に前方を向くように取付けられた上下複数のブラケットと、
前記各ブラケットにより支持され、かつ上面に前記複数のトレーを載置しうる上下複数段の棚板
とを備えるものとし、前記支柱を３本以上設け、かつ上段部の棚板を左右複数に分割して、互いに隣接する棚板における対向端部を、中間部の支柱に取付けられた上部のブラケットにより支持することにより、中間部の支柱の高さを低くしたとき、上段部の左右の棚板を選択的に取り外せるようにしたことを特徴とするトレー支持什器。
【請求項３】
ベース構造体の背面に、上下複数のめねじ孔を、上下の棚板の間隔と等しいピッチで設け、前記めねじ孔に固定ねじを選択的に螺合することにより、支柱の上下位置を、めねじ孔のピッチと等しい間隔で段階的に変更しうるようにしてなる請求項１または２記載のトレー支持什器。
【請求項４】
めねじ孔のピッチを、支柱の前面に上下方向に一定間隔おきに並べて設けた複数の係合孔のピッチと同一またはその倍数と等しくし、前記係合孔に、ブラケットの後端部に設けた係止フックを、めねじ孔のピッチと等しい間隔で係止してなる請求項３記載のトレー支持什器。
【発明の詳細な説明】
【技術分野】
【０００１】
本発明は、例えば病院や薬局の調剤室等において、多種の薬剤を識別・区分けして収容しているトレーを多数並置しうるトレー棚を備えるトレー支持什器に関する。
【背景技術】
【０００２】
本願の出願人は、左右方向に離間させて立設した複数の支柱の前面に、側面視横向きＬ字状またはＴ字状のブラケットの後端部を掛止し、各ブラケットの上面により棚板の下面を支持することにより、棚板の上面を、左右方向に仕切りのない連続した一平面とし、棚板上に、多数のトレーを、左右方向に無駄な空間を形成することなく、効率的に並置しうるようにしたトレー棚を開発し、先に特許出願している(例えば特許文献１参照)。
【先行技術文献】
【特許文献】
【０００３】
【特許文献１】特開２００８−２１２３０４号公報
【発明の概要】
【発明が解決しようとする課題】
【０００４】
しかし、上記特許文献１に記載されているトレー棚においては、その高さが、各支柱の高さにより一定に設定されているので、上下の棚板の数、及びそれに載置されるトレーの数が定められてしまい、上下の棚板の数を増減して、トレーの載置数を変更することはできなかった。
また、部屋内における天井の高さが一定でない場合や、梁などにより、天井の一部が下方に突出している場合、あるいは棚の使用者の要求により、棚板の高さを変えたり、トレーの載置数を増減したいときに、それに対応することができず、使い勝手が悪いという問題もある。
【０００５】
本発明は、上記問題点に鑑みてなされたもので、天井の高さや使用者の要求などに応じて、トレー棚の高さを簡単に変更し、棚板へのトレーの載置数を容易に増減しうるようにした、使い勝手のよいトレー支持什器を提供することを目的としている。
【課題を解決するための手段】
【０００６】
本発明によると、上記課題は、次の各項のようにして解決される。
（１）複数の物品収容用トレーを載置しうるトレー棚を有するトレー支持什器であって、前記トレー棚を、床面に設置されたベース構造体に、上下位置変更可能として下部が取付けられ、前記ベース構造体より上方に突出する部分の高さを変更しうるようにした左右複数の支柱と、前記各支柱の前面に前方を向くように取付けられた上下複数のブラケットと、前記各ブラケットにより支持され、かつ上面に前記複数のトレーを載置しうる上下複数段の棚板とを備えるものとし、前記ベース構造体の背面に、複数の支柱の下部を、上下複数の固定ねじをもって、上下位置変更可能に取付ける。
【０００７】
このような構成によると、左右複数の支柱を、ベース構造体に上下位置変更可能として取付けてあるので、トレー支持什器の設置場所の天井の高さや、什器使用者の要求などに応じて、トレー棚の高さを簡単に変更することができ、各支柱により支持される棚板の数、及び各棚板へのトレーの載置数を容易に増減することができる。
また、例えば天井に設けた梁などにより、天井の一部が下方に突出している場合において、トレー支持什器を梁の下方に位置させて配置する必要が生じた際には、左右いずれか１本の支柱または複数の支柱の高さを、梁と干渉しない位置まで低くすることにより、梁の下方にトレー支持什器を支障なく設置することができる。
さらに、ベース構造体に対する各支柱の取付作業や、各支柱の上下位置の変更作業を、ベース構造体の後方より容易に行うことができる。
【０００８】
（２）複数の物品収容用トレーを載置しうるトレー棚を有するトレー支持什器であって、前記トレー棚を、床面に設置されたベース構造体に、上下位置変更可能として下部が取付けられ、前記ベース構造体より上方に突出する部分の高さを変更しうるようにした左右複数の支柱と、前記各支柱の前面に前方を向くように取付けられた上下複数のブラケットと、前記各ブラケットにより支持され、かつ上面に前記複数のトレーを載置しうる上下複数段の棚板とを備えるものとし、前記支柱を３本以上設け、かつ上段部の棚板を左右複数に分割して、互いに隣接する棚板における対向端部を、中間部の支柱に取付けられた上部のブラケットにより支持することにより、中間部の支柱の高さを低くしたとき、上段部の左右の棚板を選択的に取り外せるようにする。
【０００９】
このような構成によると、例えば天井の高さの一部が低く、それに対応させて、いずれか１本または２本以上の支柱の高さを低くした際に、その高さを低くした支柱のブラケットにより対向端部が支持されている左右いずれかの棚板のみを取り外し、上段部の他の棚板は残しておけるので、棚板へのトレーの載置数が大きく減ることはない。
【００１０】
（３）上記(１)または(２)項において、ベース構造体の背面に、上下複数のめねじ孔を、上下の棚板の間隔と等しいピッチで設け、前記めねじ孔に固定ねじを選択的に螺合することにより、支柱の上下位置を、めねじ孔のピッチと等しい間隔で段階的に変更しうるようにする。
【００１１】
このような構成によると、各支柱の高さをめねじ孔のピッチと等しい間隔で段階的に変更すると、各支柱により支持されている棚板もめねじ孔のピッチと等しい間隔で段階的に上下に移動するので、上下の棚板間の間隔は変わらず、従って、一定の上下寸法のトレーを、各段の棚板上に支障なく載置することができる。
【００１２】
（４）上記(３)項において、めねじ孔のピッチを、支柱の前面に上下方向に一定間隔おきに並べて設けた複数の係合孔のピッチと同一またはその倍数と等しくし、前記係合孔に、ブラケットの後端部に設けた係止フックを、めねじ孔のピッチと等しい間隔で係止する。
【００１３】
このような構成によると、支柱の前面に、ブラケットを簡単に取り付けうるので、支柱に取り付けられるブラケットの数及びそれにより支持される棚板の段数を容易に変更しうるとともに、支柱の高さを、めねじ孔のピッチと等しい間隔で段階的に変更しても、ブラケットにより支持された上下の棚板間の間隔が変わることはない。
【発明の効果】
【００１４】
本発明によれば、天井の高さや使用者の要求などに応じて、トレー棚の高さを簡単に変更し、棚板へのトレーの載置数量を容易に増減しうるトレー支持什器を提供することができる。
【図面の簡単な説明】
【００１５】
【図１】本発明のトレー支持什器の一実施形態の斜視図である。
【図２】同じく、キャビネットの背面への支柱の取付け要領を示す後方斜視図である。
【図３】右側端の支柱と、それに取り付けられるブラケットの分解斜視図である。
【図４】中央部の支柱とそれに取り付けられるブラケットの分解斜視図である。
【図５】トレー棚の右端上部の前方拡大斜視図である。
【図６】右側端の支柱の高さを低くしたトレー支持什器の正面図である。
【図７】中央の支柱の高さを低くしたトレー支持什器の正面図である。
【発明を実施するための形態】
【００１６】
以下、本発明の実施形態を、図面に基づいて説明する。
図１に示すように、本発明のトレー支持什器は、床面に設置された低寸のキャビネット１の後側に、トレー棚２を配置して構成されている。
【００１７】
トレー棚２は、図２に示すように、キャビネット１の背面板１ａの左右側端部と、中央部の後面に取付けられた平面視後向コ字状をなす３本の支柱３と、各支柱３の前面に支持された上下複数段の棚板(図１)とを備えている。
【００１８】
各支柱３は、その下部をキャビネット１の背面板１ａに上下位置調節可能に取付けることにより、床面からの高さを変更しうるようになっている。すなわち、各支柱３における前板３ａの下部の上下２箇所に設けた通孔５、５に、後方より挿入した固定ねじ６を、キャビネット１の背面板１ａの両側端部と中央部に設けた上下複数のめねじ孔７に、選択的に螺合することにより、各支柱３を、図２の２点鎖線で示すように、キャビネット１の上方に突出する部分の高さを変更しうるようにして、キャビネット１の背面板１ａに固定されている。
なお、上下方向に並ぶめねじ孔７のピッチは、複数段の棚板４の取付け間隔と等しくしてある。これにより、各支柱３の高さを、めねじ孔７のピッチ分だけ段階的に変更しても、各支柱３の所定位置に、上下複数の棚板４を等間隔おきに、かつ水平に取付けることができる。
【００１９】
各段の棚板４は、左右の支柱３に、次のようにして支持されている。
図３及び図４に示すように、各支柱３の前板３ａには、縦長の多数の係合孔８が、上下方向に一定間隔おきに列設されている。なお、上記めねじ孔７のピッチは、係合孔８のピッチと同一またはその倍数と等しくするのが好ましい。
図３に示すように、右側端の支柱３(左右対称に付き、左側端の支柱は図示略)には、棚板４の右側端を支持する適数のブラケット９が取り付けられている。
【００２０】
各ブラケット９は、前後方向を向く垂直の側面板９ａと、この側面板９ａの中間部下縁に内向きに連設された正面視Ｌ字状の棚板支持片９ｂと、側面板９ａの後縁より内向きに屈曲する内向片９ｃと、内向片９ｃの内側縁より後向きに突出する３個の下向き鉤状の係止フック１０とを備えている。
【００２１】
上記３個の係止フック１０を、支柱３における連続する上下３個の係合孔８に係合することにより、上下の各ブラケット９の後端部が、支柱３の前面に、上述しためねじ孔７のピッチと等しい間隔で取り付けられている。
また、棚板４の両側縁に形成された下向片４ａを、左右のブラケット９の棚板支持片９ｂに上方より落とし込んで受支することにより、各段の棚板４は、左右のブラケット９の下端部の対向面間に、めねじ孔７のピッチと等しい間隔で架設されている。
【００２２】
図４に示すように、中央の支柱３に取り付けられる上下複数のブラケット１１は、前後方向を向く水平の棚板支持片１１ａと、この棚板支持片１１ａの後縁より起立する上向片１１ｂと、その後面に固着された、左右寸法が上向片のほぼ半分の長さの係止片１１ｃとを備え、この係止片１１ｃの左側縁には、上下３個の下向き鉤状の係止フック１２が、後向きに突設されている。
【００２３】
３個の係止フック１２を、支柱３の互いに隣接する上下３個の係合孔８に係合することにより、上下の各ブラケット１１の後端部が、中央の支柱３の前面に、めねじ孔７及び左右両側のブラケット９のピッチと等しい間隔で取り付けられている。
【００２４】
図４及び図５に示すように、各ブラケット１１の棚板支持片１１ａにより、各段の棚板４における左右方向の中央部が支持されている。この際、棚板支持片１１ａの前端部の直下に、棚板４の前端に連設された側面視後向きＬ字状の折曲部４ｂを位置させることにより、棚板４の浮き上がりが防止されている。なお、上部の２段の棚板４を左右２枚に分割し、それらの対向部を、中央のブラケット１１により支持してある。これは、後述するように、天井の高さに対応して、いずれかの支柱３の高さを低くした際に、その支柱３により支持された上段部の左右いずれかの棚板４を取り外せるようにするためである。
【００２５】
棚板ブラケット１１の棚板支持片１１ａは、水平をなしているので、図５に示すように、棚板４上に薬剤等を区分けして収容するためのトレー１３を並置する際に、ブラケット１１が邪魔にならず、多数のトレー１３を、左右方向に隙間なく効率的に並置することができる。
【００２６】
上記のように、左右の各支柱３を、キャビネット１の背面板１ａに、高さ変更可能に取り付けると、トレー支持什器の設置場所の天井の高さや、什器使用者の要求などに応じて、トレー棚２の高さを簡単に変更することができ、各支柱３により支持される棚板４の段数及び各棚板４へのトレー１３の載置数を容易に増減することができる。
【００２７】
また、図６に示すように、例えば天井Ｒに設けた梁Ｂなどにより、天井Ｒの一部が下方に突出している場合において、トレー支持什器の側部を梁Ｂの下方に位置させて配置する際には、右側端の支柱３の高さを、梁Ｂと干渉しない位置まで低くするとともに、右側の最上段の棚板４を取り外すことにより、梁Ｂの下方にトレー支持什器を支障なく設置することができる。なお、この状態から、トレー支持什器を右方に移動させる際には、中央の支柱３の高さを低くすればよい。
この際、最上段の右方の棚板４のみを取り外せばよく、左方の棚板４はそのまま残しておける。従って、棚板４へのトレー１３の載置数が大きく減ることはない。
【００２８】
さらに、図７に示すように、キャビネット１及びトレー棚２の左右幅が大きいトレー支持什器を、例えば天井Ｒの梁Ｂの中央直下に配置する際には、トレー棚２に設けた５本の支柱３のうち、中央の支柱３の高さを、梁Ｂと干渉しない位置まで低くするとともに、中央の３本の支柱３により支持された最上段の棚板４を取り外すことにより、梁Ｂを跨ぐようにして、その下方にトレー支持什器を支障なく設置することができる。なお、この状態から、トレー支持什器を左右いずれか一方に移動する際には、２本以上の支柱３の高さを低くすればよい。
この際にも、上記と同様に、中央の３本の支柱３により支持された最上段の左右２枚の棚板４のみを取り外せばよく、両側部の棚板４は残せしておけるので、トレー１３の載置数が大きく減ることはない。
【００２９】
上記実施形態では、複数の支柱３の下部を、キャビネット１の背面板１ａに上下位置変更可能に取り付けているが、例えば支柱３の下部を、キャビネット１の後端部を貫通させて内部に収容し、後面板１ａの前面に上下位置を変更可能に取付けることもある。
【符号の説明】
【００３０】
１  キャビネット(ベース構造体)
１ａ背面板
２  トレー棚
３  支柱
３ａ前板
４  棚板
４ａ下向片
４ｂ折曲部
５  通孔
６  固定ねじ
７  めねじ孔
８  係合孔
９  ブラケット
９ａ側面板
９ｂ棚板支持片
９ｃ内向片
１０  係止フック
１１  ブラケット
１１ａ棚板支持片
１１ｂ上向片
１１ｃ係止片
１２  係止フック
１３  トレー
Ｂ  梁
Ｒ  天井
【図１】
0005784934.tif 000002
【図２】
0005784934.tif 000003
【図３】
0005784934.tif 000004
【図４】
0005784934.tif 000005
【図５】
0005784934.tif 000006
【図６】
0005784934.tif 000007
【図７】
0005784934.tif 000008